(57)【要約】【課題】  一度に多数の容器内の試料を攪拌することにより、容器の温度を一定に保ち試料を均一に温めることにより、正確な反応結果が得られる振動攪拌装置を提供する。【解決手段】  水槽１０の上方にモーター２０を固定し、モーター駆動軸２２の下端に架台４０の作動軸３１を偏心して配置する。この作動軸３１の下端に架台４０を取り付けると共に、上記モーター２０と架台４０を吊下線２４で連結する。そして上記架台４０の下部に、試料を収容しかつ水槽内の水１２に浸漬させた密閉チューブ５０を固定し、上記モーター２０を作動して架台４０を振動させることによって密閉チューブ５０内の試料を攪拌する。【選択図】図１
2005224663.tif 000002
【特許請求の範囲】
【請求項１】
水槽の上方にモーターを固定し、このモーター駆動軸の下端に架台の作動軸を偏心して配置し、この作動軸の下端に架台を取り付けると共に架台を吊下線で吊り下げて支持し、上記架台の下部に、試料を収容しかつ水槽内の水に浸漬させた密閉チューブを固定してなり、
上記モーターを作動して架台を振動させることによって密閉チューブ内の試料を攪拌する振動攪拌装置。
【発明の詳細な説明】
【技術分野】
【０００１】
本発明は、試料からＤＮＡ等を抽出したり、あるいは試料の溶解や混合を目的として、試料を収容した密閉チューブを振動攪拌する装置に関する。
【背景技術】
【０００２】
容器内の試料を攪拌する方法としては、各種の製品が開発されている。現在大きく分けて２つの種類がある。
その一つは、各容器内にそれぞれ攪拌羽を配置しこの羽の回転によって容器内の試料を攪拌させるものであり、他の方式は大型の筐体の中に多数の容器を収納して、この複数の容器を同時に振動させて攪拌するものである。
【０００３】
上記従来例のうち、前者の攪拌羽を用いる方式は各容器内にそれぞれ攪拌羽を配置しなくてはならないため、装置が大掛かりとなり作業も煩雑となる。また多数の試料を同一条件で攪拌することは難しく、さらに容器を完全に密閉することが困難なため危険な試料を攪拌することには適していなかった。
また、後者の大型の筐体を使用するものは、筐体内の空気によって容器の温度を調節するものであるため、多数の容器内の試料を均一した温度に保つことが難しく、特に試料の量が多い場合にはその傾向が強いという問題点があった。
【発明の開示】
【発明が解決しようとする課題】
【０００４】
本発明は上記の点に鑑みてなされたもので、一度に多数の容器を水中で振動して試料を攪拌することにより、容器の温度を一定に保ち、試料を均一に温めて試料の反応を一定にする効率のよい振動攪拌装置を提供するものである。
【課題を解決するための手段】
【０００５】
本発明の要旨とするところは、水槽の上方にモーターを固定し、このモーターのモーター駆動軸の下端に架台の作動軸を偏心して配置する。この作動軸の下端に架台を取り付けると共に、上方の吊り下げ台から吊り下げた吊下線で架台を吊り下げて支持する。
そして上記架台の下部に、試料を収容しかつ水槽内の水に浸漬させた密閉チューブを固定し、上記モーターを作動して架台を振動させることによって密閉チューブ内の試料を攪拌する振動攪拌装置にある。
【発明の効果】
【０００６】
本発明によれば、容器を水中で振動攪拌するため試料の量が少ない場合はもちろん、資料が多い場合でも、反応温度を一定に保つことができるため正確な反応結果が得られる。さらに密閉チューブが水中に浸漬されているため超音波を利用した攪拌装置にも適応できる。
【０００７】
また、簡易な機構で多数の容器を同時に反応温度の均一性を保ちながら攪拌できるため作業効率がよい等の効果を奏する。
【発明を実施するための最良の形態】
【０００８】
本発明を実施するための最良の形態は、水槽の上方にモーターを固定し、上方の吊り下げ台から吊り下げた複数の吊下線によって架台を水槽内に吊り下げる。そして架台の作動軸を、モーター駆動軸にバランサー付クランクを介して偏心して取り付け、架台の下部に試料を収容した多数の密閉チューブを固定して、上記密閉チューブを水槽内の水に浸漬させたものである。
【実施例】
【０００９】
本発明を図面に基づいて説明する。図１は本発明の一実施例の一部を切り欠いた正面模式図、図２は前面パネルの正面図及び図３は図１のＡ―Ａ線拡大断面図である。
【００１０】
本実施例は、内部に水１２を収容した水槽１０と、この水槽１０の上部に配置した蓋体１５からなり、この蓋体１５の底板１６上にはモーター取付台１８を設け、このモーター取付台１８にモーター２０を固定する。
このモーター取付台１８の上端に吊下線の吊り下げ台２１を４個のビス２１ａで固定する。なお、水槽１０内の水１２は通常３７℃程度の温水である。
【００１１】
上記吊下線の吊り下げ台２１の４ケ所に、後述の攪拌台４１を吊下げるための４本のピアノ線からなる吊下線２４の上端を固定してある。
また、モーター駆動軸２２はモーター取付台１８を通って下方に伸びていて、その先端はバランサー付クランク３０に固定されている。
【００１２】
バランサー付クランク３０は直方体であり、ブッシング４７の上に固定されている。そしてこのブッシング４７は、水槽１０からの蒸気の流出を防止するために、円筒状のブッシング４３の上端に摺動可能に載置されている。
本実施例ではブッシング４７はテフロン製、ブッシング４２はルーロン製とした。しかし、これに限らず他の材質も使用できる。
【００１３】
上記バランサー付クランク３０の内部には、上部にモーター駆動軸２２を固定し下部に架台の作動軸３１を固定してある。この作動軸３１は下部の架台４０にモーター２０の回転を伝えて振動させるものであり、作動軸３１の中心Ｃ２は上記モーター駆動軸２２の中心Ｃ１と所定の距離、例えば１ｍｍずらして取り付けられている。つまり作動軸３１はモーター駆動軸２２に対して偏心して取り付けられているのである。
【００１４】
上記作動軸３１は円筒状のブッシング４３の孔４３ａを通り下方に伸びている。その先端は攪拌台４１に取り付けてある円筒状のブッシング４４とベアリング３３で回転可能に支持されている。
ベアリング３３の下方は、キャップ４５によってシールされている。
【００１５】
上記攪拌台４１は塩化ビニール製であり、下部に架台４０をビス４０ａによって着脱自在に固定してある。
そして架台４０の下部に試料５１を収容した多数の密閉チューブ５０を配置して、密閉チューブ５０を水槽１０内の水１２に浸漬させるのである。
【００１６】
一方、上記吊り下げ台２１に取り付けた４本の吊下線２４は、モーター取付台１８に形成した孔１８ａと底板１６の４個の孔１６ａを通って伸びていて、その下端は攪拌台４１に固定されている。
なお、底板１６の孔１６ａに設けたブッシング４２と攪拌台４１は、水槽１０から生じる蒸気を防止するために、わずかな間隙、例えば０．２ｍｍ程度の間隙を有して摺動可能に接している。
上記ブッシング４２、４３、４４は、表面が滑らかな材質であるルーロンを用いて作成してある。
【００１７】
上記吊下線２４は、本実施例では４本のピアノ線を使用したが、この本数や材質あるいは太さ等は本実施例のものに限らず任意に決定できるものとする。
【００１８】
上記のように構成した本実施例の振動攪拌装置の作用を説明する。
まず、試料５１を収容した多数の密閉チューブ５０を架台４０の下端に配置した後、架台４０を水槽１０内に吊下線２４で吊下げて設置し水槽１０内に水１２を入れて、図１の状態とする。
【００１９】
次いで、蓋体１５の前方に構成した前面パネル１７に構成したスイッチ部１７ａによってモーター２０をオンにして、制御部１７ｂでオートあるいはマニュアルを選択し、さらに制御部１７ｃでモーター２０の回転速度を選択する。
【００２０】
モーター２０の作動によりモーター駆動軸２２が回転すると、これに伴ってバランサー付クランク３０が回転するため，その下に取り付けたブッシング４７がブッシング４３の上面に接触しながら回転する。
このとき、作動軸３１は上述の通りモーター駆動軸２２と偏心した位置に取り付けられているため、作動軸３１はモーター駆動軸２２の中心Ｃ１を中心とした円を描きながら円運動をすることになる。
【００２１】
一方、作動軸３１の下端には攪拌台４１がブッシング４４とベアリング３３を介して取り付けられているから、この作動軸３１の円運動に伴って攪拌台４１も円運動をおこなう。
従って、この攪拌台４１に固定された架台４０、及び架台４０に固定された密閉チューブ５０も同様の円運動を行なうことになる。これによって密閉チューブ５０内部の試料５１が振動を受けながら攪拌されていくのである。
【００２２】
このように本実施例によれば、架台４０をモーター２０から吊下げた状態で水槽１０内に配置して、密閉チューブ５０を水１２に浸漬させながら振動させ内部の試料５１を攪拌するから、試料の反応温度を一定に保つことが容易に行なえ正確な反応結果を得ることができる。また水槽内であるため必要に応じて超音波を使用して作業を行うこともできる。
さらに、多数の密閉チューブ５０を同時に温度の均一性を保ちながら攪拌できるため作業効率がよく、試料５１の量が多い場合にも温度の均一が保てる等の効果を奏する。
【００２３】
さらに、前面パネル１７の制御部によりモーター２０の回転を調節することで、密閉チューブ５０の振動の強弱を調節でき、またオートまたはマニュアル制御可能な振動によって多数の試料５１を密閉チューブ５０のまま同一条件で攪拌できるのである。
【図面の簡単な説明】
【００２４】
【図１】本発明の一実施例の一部を切り欠いた正面模式図
【図２】前面パネルの正面図
【図３】図１のＡ―Ａ線拡大断面図
【符号の説明】
【００２５】
１０  水槽
１２  水（温水）
１５  蓋体
１６  底板
１７  前面パネル
１８  モーター取付台
２０  モーター
２１  吊下線の吊り下げ台
２２  モーター駆動軸
２４  吊下線
３０  バランサー付クランク
３１  作動軸
３３  ベアリング
４０  架台
４１  攪拌台
４２  ブッシング
４３  ブッシング
４４  ブッシング
Ｃ１  モーター駆動軸の中心
Ｃ２  作動軸の中心
【図１】
2005224663.tif 000003
【図２】
2005224663.tif 000004
【図３】
2005224663.tif 000005